(57)【要約】      （修正有）【課題】芭蕉の葉鞘によって作られた芭蕉扇の独特の風趣を室内の装飾用置物として利用し、併せて芭蕉扇に模して芭蕉の葉鞘模様を象った扇面を有する団扇を製作して装飾用置物として広く活用できる室内装飾用団扇セットを提供する。【解決方法】芭蕉扇又は芭蕉の葉鞘模様を象った扇面を有する団扇１を室内の装飾用置物として用いられるように立設させる支持具２を備え、前記団扇１の柄１ｂの下端面中央に穿設された小孔に、２本の断面方形の棒状体を十字状に組み合わせた脚の交差部に立設された支持棒を挿入して前記団扇を安定に立設可能にしてなる室内装飾用団扇セットによる。【選択図】図１
0003182022.tif 000002
【実用新案登録請求の範囲】
【請求項１】
芭蕉扇又は芭蕉の葉鞘模様を象った扇面を有する団扇（１）と、前記芭蕉扇又は前記団扇（１）を本来の用途以外に室内の装飾用置物（インテリア）として用いられるように立設させる支持具（２）とで構成されてなることを特徴とする室内装飾用団扇セット。
【請求項２】
芭蕉扇又は芭蕉の葉鞘模様を象った扇面を有する団扇（１）の柄（１ｂ）が、その下端面中央に柄（１ｂ）の中心軸に沿って穿設された小孔（１ｄ）を有してなることを特徴とする請求項１に記載の室内装飾用団扇セット。
【請求項３】
芭蕉扇又は芭蕉の葉鞘模様を象った扇面を有する団扇（１）を立設させる支持具（２）が、２本の断面方形の棒状体を十字状に組み合わせた脚の交差部に前記芭蕉扇又は芭蕉の葉鞘模様を象った扇面を有する団扇（１）の柄（１ｂ）の下端面中央に穿設された小孔（１ｄ）に挿入される支持棒（２ａ）を立設してなることを特徴とする請求項１又は２に記載の室内装飾用団扇セット。
【請求項４】
前記支持具（２）が、断面方形の棒状体でなる下部脚体（２ｃ）と、断面方形の棒状体の両端下部に前記下部脚体（２ｃ）の厚みに等しい高さの突出部を有する上部脚体（２ｂ）とをそれぞれの中央部で上下に重ね合わせて結合し、かつ前記結合部において回動可能とされてなり、前記芭蕉扇又は芭蕉の葉鞘模様を象った扇面を有する団扇（１）を立設させるときには上下の脚体（２ｂ、２ｃ）を十字状に開いて脚とし、収納時には上下の脚体（２ｂ、２ｃ）を一直線に閉じて重ね合わせられるように構成し、前記結合部に前記芭蕉扇又は芭蕉の葉鞘模様を象った扇面を有する団扇（１）の柄（１ｂ）の下端面中央に穿設された小孔（１ｄ）に挿入される支持棒（２ａ）を立設してなることを特徴とする請求項１又は２に記載の室内装飾用団扇セット。
【請求項５】
芭蕉の葉鞘模様を象った扇面を有する団扇（１）が、芭蕉の葉鞘模様を象って凹凸を付けた円形又は小判形をした２枚の厚手の面材（１ａ）を、扁平な支柱（１ｃ）を中心部に介して貼り合わせて表裏両面を形成し、前記支柱（１ｃ）の下部は団扇（１）の柄（１ｂ）に接続されてなることを特徴とする請求項１又は２はに記載の室内装飾用団扇セット。
【考案の詳細な説明】
【技術分野】
【０００１】
芭蕉扇又は芭蕉の葉鞘模様を象った扇面を有する団扇を本来用途以外に室内の装飾用置物として用いられるように立設させる支持具を備えた室内装飾用団扇セットに関する。
【背景技術】
【０００２】
団扇を夏場の来客に団扇を供するためのもてなし道具としての「団扇立て」は、趣向を凝らしたものが多数市販され、座敷の床の間や客間の棚の片隅に備えておくことは従来からなされてきたことであるが、これを装飾用置物として意識することはなかった。
その中にあって特許文献１には、「飾り兼用豆団扇」と題して、扇いで風を起こして暑さを凌ぐ団扇としての本来の使用と、吸盤を利用して平滑面に並設或いは垂設して豆団扇を装飾品として供することを目的とした考案が開示されている。
この考案は、旅先の土産品や各種会社の販促用品として販売、使用されることが多いため美術的に優れた絵画が描かれているものであっても粗雑に扱われ紛失されがちな豆うちわを、装飾品として長期にわたり活用しようとするものである。
【先行技術文献】
【特許文献】
【０００３】
【特許文献１】実開平６−６１１２１号公報
【考案の概要】
【考案が解決しようとする課題】
【０００４】
本考案は、芭蕉の葉鞘によって作られた芭蕉扇の独特の風趣を室内の装飾用置物（以下インテリアと記す）として利用し、併せて芭蕉扇に模して芭蕉の葉鞘模様を象った扇面を有する団扇を製作してインテリアとして広く活用しようとするものである。
【課題を解決するための手段】
【０００５】
本考案者は、上記課題を下記の手段により解決した。
（１）芭蕉扇又は芭蕉の葉鞘模様を象った扇面を有する団扇と、前記芭蕉扇又は前記団扇を本来の用途以外に室内の装飾用置物として用いられるように立設させる支持具とで構成されてなることを特徴とする室内装飾用団扇セット。
（２）芭蕉扇又は芭蕉の葉鞘模様を象った扇面を有する団扇の柄が、その下端面中央に柄の中心軸に沿って穿設された小孔を有してなることを特徴とする前項（１）に記載の室内装飾用団扇セット。
（３）芭蕉扇又は芭蕉の葉鞘模様を象った扇面を有する団扇を立設させる支持具が、２本の断面方形の棒状体を十字状に組み合わせた脚の交差部に前記芭蕉扇又は芭蕉の葉鞘模様を象った扇面を有する団扇の柄の下端面中央に穿設された小孔に挿入される支持棒（２ａ）を立設してなることを特徴とする前項（１）又は（２）に記載の室内装飾用団扇セット。
（４）前記支持具が、断面方形の棒状体でなる下部脚体と、断面方形の棒状の両端下部に前記下部脚体の厚みに等しい高さの突出部を有する上部脚体とをそれぞれの中央部で上下に重ね合わせて結合し、かつ前記結合部において回動可能とされてなり、前記芭蕉扇又は芭蕉の葉鞘模様を象った扇面を有する団扇を立設させるときには上下の脚体を十字状に開いて脚とし、収納時には上下の脚体を一直線に閉じて重ね合わせられるように構成し、前記結合部に前記芭蕉扇又は芭蕉の葉鞘模様を象った扇面を有する団扇の柄の下端面中央に穿設された小孔に挿入される支持棒を立設してなることを特徴とする前項（１）又は（２）に記載の室内装飾用団扇セット。
（５）芭蕉の葉鞘模様を象った扇面を有する団扇が、芭蕉の葉鞘模様を象って凹凸を付けた円形又は小判形をした２枚の厚手の面材を、扁平な支柱を中心部に介して貼り合わせて表裏両面を形成し、前記支柱の下部は団扇の柄に接続されてなることを特徴とする前項（１）又は（２）に記載の室内装飾用団扇セット。
【考案の効果】
【０００６】
本考案の室内装飾用団扇セットによって下記の効果が発揮される。
〈１〉芭蕉扇又は芭蕉の葉鞘模様を象った扇面を有する団扇と、本来の用途以外に室内の装飾用置物として用いられるように立設させる支持具とで構成され、
前記芭蕉扇又は芭蕉の葉鞘模様を象った扇面を有する団扇が柄の下端面中央に柄の中心軸に沿って小孔が穿設され、
前記支持具が２本の断面方形の棒状体を十字状に組み合わせた脚の交差部に、前記芭蕉扇又は芭蕉の葉鞘模様を象った扇面を有する団扇の柄の下端面に穿設された小孔に挿入される支持棒を立設しているので、
前記芭蕉扇又は芭蕉の葉鞘模様を象った扇面を有する団扇の柄の下端の小孔に前記支持具に設けられた支持棒を差し込むことによって、前記芭蕉扇又は芭蕉の葉鞘模様を象った扇面を有する団扇を安定して立設でき、特異な風趣を持つインテリアとして使用できる。
〈２〉前記支持具が、断面方形の棒状体でなる下部脚体と、断面方形の棒状の両端下部に前記下部脚体の厚みに等しい高さの突出部を有する上部脚体とを、それぞれの中央部で上下に重ねわせて結合し、かつ前記結合部において回動可能とされてなり、かつ前記結合部に前記芭蕉扇又は芭蕉の葉鞘模様を象った扇面を有する団扇の柄の下端面中央に穿設された小孔に挿入される支持棒を立設してなるので、
前記芭蕉扇又は芭蕉の葉鞘模様を象った扇面を有する団扇を立設させるときには上下の脚体を十字状に開いて脚として安定に支持でき、収納時には上下の脚体を一直線状に閉じて重ね合わせることによって収納スペースの削減に寄与できる。
【図面の簡単な説明】
【０００７】
【図１】本考案の室内装飾用団扇セットのインテリア使用時の斜視図
【図２】芭蕉扇を模した団扇の構造を示す正面図（ａ）及び断面図（ｂ）
【図３】支持具の構造を示す断面図
【考案を実施するための形態】
【０００８】
本考案の室内装飾用団扇セットを実施するための形態を実施例の図に基づいて説明する。
図１は本考案の室内装飾用団扇セットのインテリア使用時の斜視図、図２は芭蕉扇を模した団扇の構造を示す正面図（ａ）及び断面図（ｂ）、図３は支持具の構造を示す断面図である。
図において１は団扇、１ａは面材、１ｂは柄、１ｃは支柱、１ｄは小孔、２は支持具、２ａは支持棒、２ｂは上部脚体、２ｃは下部脚体を示す。
【０００９】
本考案の室内装飾用団扇セットは、芭蕉扇又は芭蕉の葉鞘模様を象った扇面を有する団扇１と、前記芭蕉扇又は前記団扇１を立設してインテリアとして使用するための支持具２とで構成されている。
図１は、芭蕉の葉鞘模様を象った扇面を有する団扇１を支持具２に装着してインテリアとして使用するときの形態を示す斜視図である。
この芭蕉扇を模した団扇は、図２に示すように、芭蕉の葉鞘模様を象って凹凸を付けた緑色の厚手の面材１ａ二枚を、扁平な支柱１ｃを中心部に介して貼り合わせて表裏両面を形成し、前記支柱１ｃの下部は団扇面から引き出されて団扇の柄１ｂに接続されている。  図２（ｂ）においては、円柱状の柄１ｂと扁平な支柱１ｃとが一体に形成されたものとして示したが、円柱状の柄１ｂの上端面にスリットを設け扁平な支柱１ｃを該スリットに嵌入固定して一体化することであってもよい。前記柄１ｂと支柱１ｃの一体化においては、柄１ｂと支柱１ｃとは製造の難易度からは木製が望ましいが、団扇の柄１ｂとしては竹製の方が風趣に富むので、前記木製の柄１ｂに竹を被装しておくことも好ましい。そして柄１ｂの下端面中央に柄１ｂの中心軸に沿って穿設された小孔１ｄを有している。
【００１０】
図３は支持具２の構造を示す断面図である。図３に見られるように、支持具は断面方形の棒状体でなる下部脚体２ｃと、断面方形の棒状の両端下部に前記下部脚体２ｃの厚みに等しい高さの突出部を有する上部脚体２ｂとを、それぞれの中央部で上下に重ねわせて結合し、かつ前記結合部において回動可能とされてなり、かつ前記結合部に前記芭蕉扇又は芭蕉の葉鞘模様を象った扇面を有する団扇の柄の下端面中央に穿設された小孔１ｄに挿入される支持棒２ａを立設している。
そして前記上部脚体２ｂと下部脚体２ｃとがその結合部で回動可能にしてなる構造は、前記支持棒２ａの下部（上部脚体２ｂ及び下部脚体２ｃの合計厚みに相当する部分）の外径が、図３に見られるように、芭蕉扇を模した団扇１の柄１ｂに設けた小孔１ｄに挿入される上部の外径より小さく形成され、前記上部脚体２ｂに設けられた前記支持棒２ａの挿通孔は支持棒２ａ下部の外径よりやや大きく穿たれ、また前記下部脚体２ｃにはは支持棒２ａの下端部を嵌入する嵌入孔がに穿たれている。したがって、上部脚体２ｂと下部脚体２ｃとに穿たれた支持棒２ａの挿通孔と嵌入孔とを重ねあわせたところに支持棒２ａを挿入して、支持棒２ａの下端部を下部脚体２ｃの嵌入孔に嵌着すれば、上部脚体２ｂは支持棒２ａを軸に回動可能になり、かつ上部脚体２ａが支持棒２ａから抜け落ちることがなく支持棒２ａを軸にして回動可する。
なおこの場合上部脚体２ｂの両端には下部脚体の厚みに等しい高さの突出部を有しているので、下部脚体２ｃの長さは上部脚体２ｂの長さよりその分短くしておく必要がある。
また、前記支持具２も芭蕉扇を模した団扇１の柄１ｂと同様に風趣の上で好ましいことや加工が容易なことから竹製が望ましいが、前記団扇を安定に立設するためには軽量のため長い脚体を必要とすることから、収納の便を考慮すると重量のある金属製の方がコンパクトに製作できるので好ましい。
【００１１】
さらには、立設された芭蕉扇を模した団扇１の扇面に、写真やカレンダー等を貼付して飾ることがあってもよい。
【符号の説明】
【００１２】
１：団扇
１ａ：面材
１ｂ：柄
１ｃ：支柱
１ｄ：小孔
２：支持具
２ａ：支持棒
２ｂ：上部脚体
２ｃ：下部脚体
【図１】
0003182022.tif 000003
【図２】
0003182022.tif 000004
【図３】
0003182022.tif 000005